(57)【要約】【課題】躯体への防水構造の施工を容易に行なうことができ、また、施工後の防水構造のメンテナンスも容易に行なうことができる防水構造を提供すること。【解決手段】防水構造１は、躯体１００上に敷設され、躯体１００に対する防水機能を有する防水シート２と、防水シート２を躯体１００に対して固定する防水シート固定用構造体３と、防水シート２上に配設されるブロック４と、ブロック４を躯体１００に対して固定するブロック固定用構造体５とを備えている。このブロック固定用構造体５は、防水シート固定用構造体３とは独立して、躯体１００に対して固定されている。【選択図】図１
2018188926.tif 000002
【特許請求の範囲】
【請求項１】
躯体上に敷設され、該躯体に対する防水機能を有する防水シートと、
前記防水シートを前記躯体に対して固定する防水シート固定用構造体と、
前記防水シート上に配設されるブロックと、
前記ブロックを前記躯体に対して固定するブロック固定用構造体とを備え、
前記ブロック固定用構造体は、前記防水シート固定用構造体とは独立して、前記躯体に対して固定されていることを特徴とする防水構造。
【請求項２】
前記ブロック固定用構造体は、前記ブロックを前記躯体と反対側から押さえて固定するものである請求項１に記載の防水構造。
【請求項３】
前記ブロック固定用構造体は、少なくとも１本の線状体を有し、該線状体の両端部が前記躯体に対して固定されている請求項１または２に記載の防水構造。
【請求項４】
前記ブロック固定用構造体は、複数の前記線状体を交差させて網状に形成した編組体で構成されている請求項３に記載の防水構造。
【請求項５】
前記ブロック固定用構造体は、少なくとも１本の棒状体を有し、該棒状体の両端部が前記躯体に対して固定されている請求項１または２に記載の防水構造。
【請求項６】
前記ブロックは、複数配置されており、
前記ブロック固定用構造体は、前記ブロックの配置方向に力を付与するよう構成されている請求項１または２に記載の防水構造。
【請求項７】
前記ブロック固定用構造体は、隣り合う前記ブロック同士の間に配置され、該ブロック同士が離間する方向に力を付与するよう構成されている請求項６に記載の防水構造。
【請求項８】
前記防水シート固定用構造体は、前記防水シートの裏側に配置された金属製の板部材と、該板部材の表側の面に形成され、前記防水シートの裏側の面と融着される樹脂層とを有する請求項１ないし７のいずれか１項に記載の防水構造。
【請求項９】
前記ブロックは、前記防水シートと反対側の面に溝が形成されたものか、または、前記防水シートと反対側の面が平面のものである請求項１ないし８のいずれか１項に記載の防水構造。
【請求項１０】
前記溝には、前記ブロック固定用構造体の少なくとも一部が挿入される請求項９に記載の防水構造。
【請求項１１】
前記ブロックは、中空のものである請求項１ないし１０のいずれか１項に記載の防水構造。
【発明の詳細な説明】
【技術分野】
【０００１】
本発明は、防水構造に関する。
【背景技術】
【０００２】
近年、建築物の高耐久化が求められるに伴って、多くの建築物の屋上やベランダ等において、防水シート（樹脂シート）を敷設施工したシート防水構造が採用されている（例えば、非特許文献１参照）。
【０００３】
屋上で用いられる防水シートには、その防水シート上にコンクリートを打設して、コンクリート層が形成されることがある。このコンクリート層は、防水シートを保護する保護層として機能する。これにより、防水シートを長期間にわたって使用することができる。
【０００４】
しかしながら、コンクリートを打設する施工方法は、コンクリートを乾燥させなければならない等、施工日数が比較的多くかかってしまう。また、長期間にわたって使用した防水シートを交換するメンテナンスを行なう場合、打設されたコンクリートを取り除かねばならず、その作業も煩雑で容易なものではなかった。また、コンクリートの厚さによっては、防水シートのメンテナンスが不可能となる場合もあった。
【先行技術文献】
【非特許文献】
【０００５】
【非特許文献１】田島ルーフィング株式会社、”屋上防水とは”、[online]、平成２９年４月２６日、インターネット〈ＵＲＬ：http://www.tajima.jp/waterproof/index.html〉
【発明の概要】
【発明が解決しようとする課題】
【０００６】
本発明の目的は、躯体への防水構造の施工を容易に行なうことができ、また、施工後の防水構造のメンテナンスも容易に行なうことができる防水構造を提供することにある。
【課題を解決するための手段】
【０００７】
このような目的は、下記（１）〜（１１）の本発明により達成される。
（１）  躯体上に敷設され、該躯体に対する防水機能を有する防水シートと、
前記防水シートを前記躯体に対して固定する防水シート固定用構造体と、
前記防水シート上に配設されるブロックと、
前記ブロックを前記躯体に対して固定するブロック固定用構造体とを備え、
前記ブロック固定用構造体は、前記防水シート固定用構造体とは独立して、前記躯体に対して固定されていることを特徴とする防水構造。
【０００８】
（２）  前記ブロック固定用構造体は、前記ブロックを前記躯体と反対側から押さえて固定するものである上記（１）に記載の防水構造。
【０００９】
（３）  前記ブロック固定用構造体は、少なくとも１本の線状体を有し、該線状体の両端部が前記躯体に対して固定されている上記（１）または（２）に記載の防水構造。
【００１０】
（４）  前記ブロック固定用構造体は、複数の前記線状体を交差させて網状に形成した編組体で構成されている上記（３）に記載の防水構造。
【００１１】
（５）  前記ブロック固定用構造体は、少なくとも１本の棒状体を有し、該棒状体の両端部が前記躯体に対して固定されている上記（１）または（２）に記載の防水構造。
【００１２】
（６）  前記ブロックは、複数配置されており、
前記ブロック固定用構造体は、前記ブロックの配置方向に力を付与するよう構成されている上記（１）または（２）に記載の防水構造。
【００１３】
（７）  前記ブロック固定用構造体は、隣り合う前記ブロック同士の間に配置され、該ブロック同士が離間する方向に力を付与するよう構成されている上記（６）に記載の防水構造。
【００１４】
（８）  前記防水シート固定用構造体は、前記防水シートの裏側に配置された金属製の板部材と、該板部材の表側の面に形成され、前記防水シートの裏側の面と融着される樹脂層とを有する上記（１）ないし（７）のいずれかに記載の防水構造。
【００１５】
（９）  前記ブロックは、前記防水シートと反対側の面に溝が形成されたものか、または、前記防水シートと反対側の面が平面のものである上記（１）ないし（８）のいずれかに記載の防水構造。
【００１６】
（１０）  前記溝には、前記ブロック固定用構造体の少なくとも一部が挿入される上記（９）に記載の防水構造。
【００１７】
（１１）  前記ブロックは、中空のものである上記（１）ないし（１０）のいずれかに記載の防水構造。
【発明の効果】
【００１８】
本発明によれば、躯体への防水構造の施工を容易に行なうことができ、また、施工後の防水構造のメンテナンスも容易に行なうことができる。
【図面の簡単な説明】
【００１９】
【図１】図１は、本発明の防水構造の第１実施形態を示す鉛直部分断面図である。
【図２】図２は、図１中の二点鎖線で囲まれた領域［Ａ］の拡大詳細断面図である。
【図３】図３は、図１に示す防水構造が備えるブロックとブロック固定用構造体との位置関係を示す斜視図である。
【図４】図４は、本発明の防水構造（第２実施形態）が備えるブロックとブロック固定用構造体との位置関係を示す斜視図である。
【図５】図５は、図４に示すブロック固定用構造体の平面図である。
【図６】図６は、本発明の防水構造の第３実施形態を示す鉛直部分断面図である。
【図７】図７は、本発明の防水構造の第４実施形態を示す鉛直部分断面図である。
【図８】図８は、図７中の二点鎖線で囲まれた領域［Ｂ］の拡大詳細断面図である。
【図９】図９は、本発明の防水構造（第５実施形態）が備えるブロックの鉛直断面図である。
【図１０】図１０は、本発明の防水構造（第６実施形態）が備えるブロックの斜視図である。
【発明を実施するための形態】
【００２０】
以下、本発明の防水構造を添付図面に示す好適な実施形態に基づいて詳細に説明する。
＜第１実施形態＞
図１は、本発明の防水構造の第１実施形態を示す鉛直部分断面図である。図２は、図１中の二点鎖線で囲まれた領域［Ａ］の拡大詳細断面図である。図３は、図１に示す防水構造が備えるブロックとブロック固定用構造体との位置関係を示す斜視図である。なお、以下では、説明の都合上、図１〜図４中（図６〜図１０についても同様）の上側を「上（または上方）」、下側を「下（または下方）」と言う。
【００２１】
図１に示すように、躯体１００は、防水構造１によって防水処理が施されている。防水構造１が施工される躯体１００の箇所としては、例えば本実施形態では、躯体１００が有する屋上の床面（床部）１０１と壁面（壁部）１０２となっている。
【００２２】
防水構造１は、防水シート２と、防水シート固定用構造体３と、ブロック４と、ブロック固定用構造体５とを備えている。以下、各部の構成について説明する。
【００２３】
防水シート２は、躯体１００上、すなわち、本実施形態では床面１０１および壁面１０２の防水処理を要する部分に敷設され、これら床面１０１および壁面１０２に対する防水機能を有する。
【００２４】
防水シート２は、可撓性を有する樹脂材料で構成されている。この樹脂材料としては、特に限定されないが、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができる。これらの中でも、塩化ビニル系樹脂であることが好ましい。なお、塩化ビニル系樹脂としては、塩化ビニルを含む重合体、すなわちオリゴマー、プレポリマーおよびポリマーであれば特に限定されないが、例えば、塩化ビニルの単量重合体、または塩化ビニルと、酢酸ビニル、エチレン、もしくはプロピレン等との共重合体、およびこれらの２種以上の重合体の混合物等が挙げられる。
【００２５】
防水シート２の厚さは、０．５ｍｍ以上４．０ｍｍ以下であるのが好ましく、１．０ｍｍ以上２．５ｍｍ以下であるのがより好ましい。
また、防水シート２は、単層のものであってもよいし、積層のものであってもよい。
【００２６】
防水シート固定用構造体３は、防水シート２を床面１０１（躯体１００）に対して固定するものである。図１に示すように、防水シート固定用構造体３は、間隔を置いて複数の箇所に配置されている。これにより、防水シート２を複数箇所で固定することができ、よって、例えば風雨による防水シート２のめくれ等を確実に防止することができる。
【００２７】
なお、防水シート２の壁面１０２に対する固定方法としては、例えば、床面１０１に対する固定方法と同様に、防水シート固定用構造体３を用いた方法でもよいし、その他、接着剤を用いた方法であってもよい。
【００２８】
図２に示すように、防水シート固定用構造体３は、ディスク部材（板部材）３１と、樹脂層３２とを有している。
【００２９】
ディスク部材３１は、防水シート２の裏側に配置された円板状をなす部材である。このディスク部材３１の中心部には、ビス１１が挿通する挿通孔３１１が貫通して形成されている。防水シート固定用構造体３は、挿通孔３１１を挿通したビス１１を介して床面１０１に固定される。
【００３０】
なお、ディスク部材３１の直径は、特に限定されないが、２０ｍｍ以上１５０ｍｍ以下程度であるのが好ましく、４０ｍｍ以上１００ｍｍ以下程度であるのがより好ましい。ディスク部材３１の厚さは、特に限定されないが、０．１ｍｍ以上３ｍｍ以下程度であるのが好ましく、０．３ｍｍ以上１．５ｍｍ以下程度であるのがより好ましい。
【００３１】
また、ディスク部材３１は、金属製であり、特に、磁性体（強磁性体）で構成されているのが好ましい。そして、この磁性体の材料としては、特に限定されず、例えば、鉄、コバルト、ニッケル、ガドリニウム、クロム等の金属のうちのいずれかまたはこれらのうちの１種以上を含む合金を用いることができる。
【００３２】
ディスク部材３１の上面（表側の面）には、樹脂層３２が形成されている。樹脂層３２は、防水シート２の裏側の面と融着される。
【００３３】
樹脂層３２を構成する樹脂としては、例えば、ポリ塩化ビニルのような塩化ビニル系樹脂、ポリオレフィン系樹脂、エチレン酢酸ビニル共重合体、アクリル系樹脂、ＡＢＳ等の熱可塑性樹脂が挙げられ、これらのうちの１種または２種以上を組み合わせて用いることができるが、ポリ塩化ビニルであるのが好ましい。これにより、樹脂層３２と防水シート２とを融着した際、互いの密着性を向上させることができる。そして、この融着により、防水シート２は、床面１０１に対して固定される。また、樹脂層３２を構成する樹脂として、ポリ塩化ビニルを用いた場合、このポリ塩化ビニルは、溶剤溶着性や熱融着性に優れるため、前記効果をより顕著に発揮させることができるとともに、防水シート固定用構造体３の腐食をより確実に防止することができる。
【００３４】
なお、樹脂層３２の厚さは、特に限定されないが、０．０３ｍｍ以上であるのが好ましく、０．０５ｍｍ以上０．３ｍｍ以下であるのがより好ましい。これにより、防水シート２が風で煽られることに起因して、樹脂層３２に応力が作用したとしても、この樹脂層３２において亀裂や破断が生じるのを的確に抑制することができる。
【００３５】
図１に示すように、防水シート２上には、複数のブロック４が配設される。ブロック４は、防水シート２を保護する保護部材として機能する。これにより、防水シート２を長期間にわたって使用することができる。また、ブロック４は、防水シート固定用構造体３と相まって、例えば風雨による防水シート２のめくれ等をより確実に防止することができる。
【００３６】
図３に示すように、ブロック４は、偏平形状をなし、その平面視での形状が正方形をなすものである。この正方形をなすブロック４の１辺の長さは、特に限定されず、例えば、３００ｍｍ以上１０００ｍｍ以下であるのが好ましく、５００ｍｍ以上８００ｍｍ以下であるのがより好ましい。また、ブロック４の厚さは、特に限定されず、例えば、１０ｍｍ以上１００ｍｍ以下であるのが好ましく、２０ｍｍ以上５０ｍｍ以下であるのがより好ましい。なお、ブロック４の平面視での形状は、正方形に限定されず、例えば、長方形等のような四角形とすることもできる。
【００３７】
また、ブロック４の外縁部（周囲）は、前記正方形の各辺に沿って、第１外縁部４６１と、第２外縁部４６２と、第３外縁部４６３と、第４外縁部４６４とに分けることができる。第１外縁部４６１〜第４外縁部４６４のうち、第１外縁部４６１と第３外縁部４６３とが互いに反対方向に臨んでおり、第２外縁部４６２と第４外縁部４６４とが互いに反対方向に臨んでいる。
【００３８】
図３に示すように、本実施形態では、ブロック４は、防水シート２と反対側の面、すなわち、上面（表面）４１に溝４５１と溝４５２とが形成されたものとなっている。溝４５１は、第１外縁部４６１と第３外縁部４６３との間に形成され、溝４５２は、第２外縁部４６２と第４外縁部４６４との間に形成され、溝４５１と交差して、すなわち、溝４５１に連通している。そして、例えば溝４５１および溝４５２のうちの溝４５２が水平方向に対して若干（例えば１度以上５度以下）傾斜するようにブロック４を施工した場合、溝４５２は、雨水等の排水溝として機能する。これにより、ブロック４は、水はけがよいものとなる。
【００３９】
なお、図１、図３中、左右方向に隣接する２つのブロック４は、溝４５１同士が連通する。また、図１、図３中、紙面手前側と奥側とに隣接する２つのブロック４は、溝４５２同士が連通することとなる。
【００４０】
ブロック４は、例えば、炭酸カルシウムペレットとホワイトセメントとに酸化チタンを混合したもので構成されている。これにより、ブロック４は、耐久性の高いものとなり、また、躯体１００に対して遮熱性を有するものとなる。
また、ブロック４は、単層のものであってもよいし、積層のものであってもよい。
【００４１】
図１、図３に示すように、ブロック固定用構造体５は、図中の左右方向に配置されている複数のブロック４を床面１０１（躯体１００）に対して一括して固定するものである。本実施形態では、ブロック固定用構造体５は、可撓性を有する１本の線状体５１で構成されている。
【００４２】
図１に示すように、互いに対向する壁面１０２には、アンカー１２が打ち込まれ（埋設されて）ている。そして、線状体５１の両端部は、それぞれ、各アンカー１２に連結されている。これにより、線状体５１は、躯体１００に対して固定された状態となる。そして、この状態で、線状体５１（ブロック固定用構造体５）は、ブロック４を躯体１００と反対側、すなわち、上側から押さえて固定することができる。これにより、ブロック４が防水シート２上を不本意に移動してしまうのを防止することができ、よって、ブロック４は、防水シート２を長期間にわたって保護し続けることができる。このように、線状体５１を用いるという簡単な構成で、ブロック４を確実に固定することができる。
【００４３】
また、線状体５１は、本実施形態ではアンカー１２を介して躯体１００に対して固定された状態となっているが、これに限定されず、例えば、壁面１０２に直接的に固定されていてもよい。この場合、壁面１０２は、入隅や出隅となっていてもよい。
【００４４】
線状体５１の太さ（直径）は、溝４５１の幅および深さよりも小さいのが好ましい。これにより、線状体５１の両端部を除いたほぼ全体を溝４５１に挿入、配置することができる。これにより、線状体５１がブロック４の上面４１から突出するのを防止することができ、よって、例えば、施工後に人がブロック４の上を歩いたときに、線状体５１につまずくのを防止することができ、安全性が向上する。また、施工後の防水構造１の見栄えもよくなる。また、線状体５１が溝４５１に挿入されていることにより、ブロック４と線状体５１との位置関係を規制することができ、よって、ブロック４を確実に固定し続けることができる。
【００４５】
なお、線状体５１は、溝４５１の底部に当接しているのが好ましい。これにより、例えば、ブロック４が風雨により浮いてしまうのを防止することができる。
【００４６】
線状体５１は、ワイヤやロープで構成されているのが好ましい。線状体５１が金属製のワイヤである場合、その構成材料としては、特に限定されず、例えば、ステンレス鋼、ピアノ線等が挙げられる。線状体５１が樹脂製のロープである場合、その構成材料としては、特に限定されず、例えば、ナイロン等が挙げられる。
【００４７】
以上のようなブロック固定用構造体５は、防水シート２上のブロック４を固定しつつ、防水シート２を固定する防水シート固定用構造体３とは独立して、躯体１００に対して固定されている。これにより、躯体１００への防水構造１の施工を行なう際、防水シート固定用構造体３の位置に関わらず、防水シート２上に配設されたブロック４を容易に固定することができる。このように、防水構造１は、躯体１００への施工が容易なものとなっている。
【００４８】
また、防水構造１の施工後に、例えば防水シート２を交換する等のメンテナンスを行なう場合、ブロック固定用構造体５による固定の解除（線状体５１の取り外し）、ブロック４の取り外しを順に行なえば、防水シート２を床面１０１から容易に取り除くことができる。このように施工後のメンテナンスも容易に行なうことができる。
【００４９】
＜第２実施形態＞
図４は、本発明の防水構造（第２実施形態）が備えるブロックとブロック固定用構造体との位置関係を示す斜視図である。図５は、図４に示すブロック固定用構造体の平面図である。
【００５０】
以下、これらの図を参照して本発明の防水構造の第２実施形態について説明するが、前述した実施形態との相違点を中心に説明し、同様の事項はその説明を省略する。
【００５１】
本実施形態は、ブロック固定用構造体の形状が異なること以外は前記第１実施形態と同様である。
【００５２】
図４、図５に示すように、本実施形態では、ブロック固定用構造体５は、複数の線状体５１と、複数の線状体５２とを交差させて網状に形成した編組体で構成されている。線状体５１は、ブロック４の溝４５１に挿入され、線状体５２は、ブロック４の溝４５２に挿入されている。このような編組体で構成されたブロック固定用構造体５は、前記第１実施形態でのブロック固定用構造体５よりも線状体５２が増えた分、ブロック４に対する押さえ付け力が強固となる。
【００５３】
＜第３実施形態＞
図６は、本発明の防水構造の第３実施形態を示す鉛直部分断面図である。
【００５４】
以下、この図を参照して本発明の防水構造の第３実施形態について説明するが、前述した実施形態との相違点を中心に説明し、同様の事項はその説明を省略する。
【００５５】
本実施形態は、ブロック固定用構造体の構成が異なること以外は前記第１実施形態と同様である。
【００５６】
図６に示すように、本実施形態では、ブロック固定用構造体５は、図中の左右方向に配置されている複数のブロック４を床面１０１に対して一括して固定する１本の棒状体５３で構成されている。また、棒状体５３の両端部がそれぞれ壁面１０２の凹部１０３に挿入されている。これにより、棒状体５３は、躯体１００に対して固定された状態となる。このような棒状体５３は、線状体５１よりも剛性が高いものである。そして、剛性が高い分、ブロック４に対する押さえ付け力も増加する。
【００５７】
なお、剛性を高める方法としては、特に限定されず、例えば、棒状体５３の構成材料を適宜選択する方法や、棒状体５３の太さを適宜調整する方法等が挙げられる。
【００５８】
また、ブロック固定用構造体５は、本実施形態では１本の棒状体５３で構成されているが、これに限定されず、例えば、複数本の棒状体５３で構成されていてもよい。
【００５９】
＜第４実施形態＞
図７は、本発明の防水構造の第４実施形態を示す鉛直部分断面図である。図８は、図７中の二点鎖線で囲まれた領域［Ｂ］の拡大詳細断面図である。
【００６０】
以下、これらの図を参照して本発明の防水構造の第４実施形態について説明するが、前述した実施形態との相違点を中心に説明し、同様の事項はその説明を省略する。
【００６１】
本実施形態は、ブロック固定用構造体の構成が異なること以外は前記第１実施形態と同様である。
【００６２】
図７に示すように、本実施形態では、ブロック固定用構造体５は、隣り合う２つのブロック４同士の間に配置され、その配置方向、すなわち、当該２つのブロック４同士が離間する方向に押圧力（力）Ｆ５を付与するよう構成されている。
【００６３】
図８に示すように、ブロック固定用構造体５は、第１押圧部材５４と、第２押圧部材５５と、連結部材５６と、ロック部材５７とを有している。
【００６４】
第１押圧部材５４は、図８中の左側に向かう押圧力Ｆ５を生じさせる部材である。第１押圧部材５４は、押圧板５４１と、雄ネジ部５４２とで構成されている。押圧板５４１は、例えば円板状をなす部分であり、図８中の左側の面がブロック４に当接する当接面５４３となる。押圧板５４１の当接面５４３と反対側の面には、雄ネジ部５４２が一体的に突出形成されている。雄ネジ部５４２は、例えば円柱状をなし、その外周部に雄ネジ５４４が形成されている。
【００６５】
第２押圧部材５５は、図８中の右側に向かう押圧力Ｆ５を生じさせる部材である。第２押圧部材５５は、押圧板５５１と、回転支持部５５２とで構成されている。押圧板５５１は、例えば円板状をなす部分であり、図８中の右側の面がブロック４に当接する当接面５５３となる。押圧板５５１の当接面５５３と反対側の面には、回転支持部５５２が一体的に突出形成されている。回転支持部５５２は、例えば円柱状をなし、その外周部に溝５５４が形成されている。溝５５４は、回転支持部５５２の外周部の周方向に沿ってリング状に形成されている。
【００６６】
連結部材５６は、第１押圧部材５４と第２押圧部材５５とを連結する部材である。連結部材５６は、円筒状をなし、その内周部に雌ネジ５６１が形成されている。雌ネジ５６１は、第１押圧部材５４の雄ネジ部５４２（雄ネジ５４４）に螺合する。この螺合により、第１押圧部材５４と連結部材５６とが連結される。また、連結部材５６の内周部には、雌ネジ５６１よりも第２押圧部材５５側に突部５６２が突出形成されている。突部５６２は、連結部材５６の内周部の周方向に沿ってリング状に形成され、第２押圧部材５５の回転支持部５５２の溝５５４に係合する。この係合により、第２押圧部材５５と連結部材５６とが連結されるとともに、連結部材５６は、ブロック固定用構造体５の中心軸Ｏ５回りに回転支持部５５２に回転可能に支持される。
【００６７】
ロック部材５７は、連結部材５６に当接して（図８中の二点鎖線で示すロック部材５７参照）、連結部材５６の回転を規制する部材である。ロック部材５７は、第１押圧部材５４の雄ネジ部５４２に螺合するナットで構成されている。なお、連結部材５６を回転させるには、ロック部材５７を連結部材５６から離間させる（図８中の実線で示すロック部材５７参照）ことにより可能となる。
【００６８】
以上のような構成のブロック固定用構造体５によって押圧力Ｆ５を付与するには、まず、隣り合う２つのブロック４の間にブロック固定用構造体５を配置する。そして、連結部材５６を矢印α５６方向に回転操作することにより、第２押圧部材５５が矢印α５５方向に移動することとなる。これにより、第１押圧部材５４の当接面５４３と、第２押圧部材５５の当接面５５３との距離Ｌ５が増大し、その結果、押圧力Ｆ５を付与することができる。そして、ロック部材５７を回転操作して、連結部材５６に当接させる。これにより、連結部材５６が緩むのが規制され、よって、押圧力Ｆ５の付与状態を維持することができる。なお、距離Ｌ５の大小に応じて、押圧力Ｆ５の大きさを調整することもできる。
【００６９】
また、押圧力Ｆ５の付与状態を解除するには、まず、ロック部材５７を回転操作して、連結部材５６から離間させる。そして、連結部材５６を矢印α５６と反対方向の矢印β５６方向に回転操作することにより、第２押圧部材５５が矢印α５５と反対方向の矢印β５５方向に移動することとなる。これにより、第１押圧部材５４の当接面５４３と、第２押圧部材５５の当接面５５３との距離Ｌ５が減少し、その結果、押圧力Ｆ５が解除される。また、この状態では、ブロック固定用構造体５を、前記隣り合う２つのブロック４の間から取り出すこともできる。
【００７０】
以上のような構成のブロック固定用構造体５は、隣り合う２つのブロック４の間に配置した状態で押圧力Ｆ５を付与することにより、ブロック４を固定しつつ、防水シート固定用構造体３とは独立して、躯体１００に対して固定された状態となる。これにより、躯体１００への防水構造１の施工を行なう際、防水シート固定用構造体３の位置に関わらず、防水シート２上に配設されたブロック４を容易に固定することができる。
【００７１】
また、本実施形態では、ブロック４は、防水シート２と反対側の面、すなわち、上面４１が平面のものとなっている。これにより、例えば、施工後に人がブロック４の上を歩いたときに、歩き易く、つまずくのを防止することができる。
【００７２】
＜第５実施形態＞
図９は、本発明の防水構造（第５実施形態）が備えるブロックの鉛直断面図である。
【００７３】
以下、この図を参照して本発明の防水構造の第５実施形態について説明するが、前述した実施形態との相違点を中心に説明し、同様の事項はその説明を省略する。
本実施形態は、ブロックの形状が異なること以外は前記第１実施形態と同様である。
【００７４】
図９に示すように、ブロック４は、下面（裏面）４２に凹部４３が形成されており、中空のものとなっている。これにより、ブロック４の軽量化を図ることができ、よって、施工時のブロック４の運搬を容易に行なうことができたり、施工後のブロック４による躯体１００への負荷を低減することもできる。
【００７５】
＜第６実施形態＞
図１０は、本発明の防水構造（第６実施形態）が備えるブロックの斜視図である。
【００７６】
以下、この図を参照して本発明の防水構造の第６実施形態について説明するが、前述した実施形態との相違点を中心に説明し、同様の事項はその説明を省略する。
【００７７】
本実施形態は、ブロックの溝の本数が異なること以外は前記第１実施形態と同様である。
【００７８】
図１０に示すように、本実施形態では、ブロック４は、上面４１に１本の溝４５３が形成されたものとなっている。これにより、溝４５３を、例えば前記第１実施形態と同様、ブロック固定用構造体５の一部を挿入させるのに用いたり、雨水等の排水溝として用いたりすることができる。
【００７９】
以上、本発明の防水構造を図示の実施形態について説明したが、本発明は、これに限定されるものではなく、防水構造を構成する各部は、同様の機能を発揮し得る任意の構成のものと置換することができる。また、任意の構成物が付加されていてもよい。
【００８０】
また、本発明の防水構造は、前記各実施形態のうちの、任意の２以上の構成（特徴）を組み合わせたものであってもよい。
【００８１】
また、防水構造が施工される躯体の箇所としては、前記実施形態では屋上であったが、これに限定されず、例えば、ベランダ、庇、外廊下であってもよい。
また、ブロックの溝に蓋を装着してもよい。
【符号の説明】
【００８２】
１            防水構造
２            防水シート
３            防水シート固定用構造体
３１          ディスク部材（板部材）
３１１        挿通孔
３２          樹脂層
４            ブロック
４１          上面（表面）
４２          下面（裏面）
４３          凹部
４５１、４５２、４５３  溝
４６１        第１外縁部
４６２        第２外縁部
４６３        第３外縁部
４６４        第４外縁部
５            ブロック固定用構造体
５１、５２    線状体
５３          棒状体
５４          第１押圧部材
５４１        押圧板
５４２        雄ネジ部
５４３        当接面
５４４        雄ネジ
５５          第２押圧部材
５５１        押圧板
５５２        回転支持部
５５３        当接面
５５４        溝
５６          連結部材
５６１        雌ネジ
５６２        突部
５７          ロック部材
１１          ビス
１２          アンカー
１００        躯体
１０１        床面（床部）
１０２        壁面（壁部）
１０３        凹部
Ｆ５          押圧力（力）
Ｌ５          距離
Ｏ５          中心軸
α５５、α５６、β５５、β５６  矢印
【図１】
2018188926.tif 000003
【図２】
2018188926.tif 000004
【図３】
2018188926.tif 000005
【図４】
2018188926.tif 000006
【図５】
2018188926.tif 000007
【図６】
2018188926.tif 000008
【図７】
2018188926.tif 000009
【図８】
2018188926.tif 000010
【図９】
2018188926.tif 000011
【図１０】
2018188926.tif 000012